(57)【要約】【課題】複数枚の間仕切パネルを用いて室内空間を仕切る移動間仕切装置において、間仕切パネルによる隠蔽状態と暴露状態とを即座に切り換えることができる移動間仕切装置を提供すること。【解決手段】天井３に架設されたレール４に吊支され、かつレール４によって形成された移動経路に沿って移動する複数枚の間仕切パネル２により室内空間を仕切るようにした移動間仕切装置１において、間仕切パネル２は、左右の縦フレーム７と上下の横フレーム８とにより形成される矩形状の枠部を有し、電力が入力されることにより透過率が変化する調光パネル１０を前記枠部内に設ける。【選択図】図１
2010150770.tif 000002
【特許請求の範囲】
【請求項１】
天井に架設されたレールに吊支され、かつ前記レールによって形成された移動経路に沿って移動する複数枚の間仕切パネルにより室内空間を仕切るようにした移動間仕切装置において、
前記間仕切パネルは、左右の縦フレームと上下の横フレームとにより形成される矩形状の枠部を有し、電力が入力されることにより透過率が変化する調光パネルを前記枠部内に設けることを特徴とする移動間仕切装置。
【請求項２】
前記各々の間仕切パネルの一方の側端面には、電力が入力されるソケット部が設けられるとともに、前記各々の間仕切パネルの他方の側端面には、前記ソケット部から入力された電力が出力されるプラグ部が設けられ、隣り合う間仕切パネルの対向する側端面同士を突き合わせたときに、前記各プラグ部と前記各ソケット部とが接続されるようになっており、前記調光パネルは、少なくとも１つの間仕切パネルのソケット部に外部から入力される電力により可動されることを特徴とする請求項１に記載の移動間仕切装置。
【請求項３】
前記間仕切パネルの側端面が当接する室内の戸当部には、電力を出力する電源プラグ部が設けられ、少なくとも１つの間仕切パネルのソケット部が前記電源プラグ部に接続されるようになっていることを特徴とする請求項２に記載の移動間仕切装置。
【請求項４】
前記ソケット部と前記プラグ部との少なくともいずれか一方は、揺動可能な状態で前記間仕切パネルの側端面に枢着されることを特徴とする請求項２または３に記載の移動間仕切装置。
【請求項５】
前記ソケット部と前記プラグ部との少なくともいずれか一方は、進退可能な状態で付勢手段により前記間仕切パネルの側端面から突出する方向に付勢されることを特徴とする請求項２ないし４のいずれかに記載の移動間仕切装置。
【請求項６】
前記ソケット部と前記プラグ部とを、磁力により互いに接続させる着磁手段を設けることを特徴とする請求項２ないし５のいずれかに記載の移動間仕切装置。
【発明の詳細な説明】
【技術分野】
【０００１】
本発明は、オフィスや宴会場や多目的ホール等の室内空間を仕切る移動間仕切装置に関する。
【背景技術】
【０００２】
従来、移動式の間仕切り装置には、複数枚のパネルを、天井に架設されたレールに吊支するとともに、パネルを構成する上下左右のフレームで形成された矩形状の枠内に、化粧板を設けるようにしている（例えば、特許文献１参照）。
【０００３】
【特許文献１】特開２００２−３５７０５８号公報（第３頁、第１図）
【発明の開示】
【発明が解決しようとする課題】
【０００４】
しかしながら、特許文献１に記載の移動式の間仕切り装置にあっては、室内空間を仕切った状態では、常に仕切られた室内空間同士が互いに隠蔽されるために閉塞感を生じさせる場合があり、必要に応じて室内空間同士を暴露させるためには、複数枚のパネルを移動して開放させる必要があるために時間がかかるという問題がある。また、透過性を有する化粧板を用いて間仕切り装置を構成した場合には、複数枚のパネルで室内空間を仕切っても、常に仕切られた室内空間同士が互いに暴露されてしまうため、必要に応じて室内空間同士を隠蔽できないという問題がある。
【０００５】
本発明は、このような問題点に着目してなされたもので、複数枚の間仕切パネルを用いて室内空間を仕切る移動間仕切装置において、間仕切パネルによる隠蔽状態と暴露状態とを即座に切り換えることができる移動間仕切装置を提供することを目的とする。
【課題を解決するための手段】
【０００６】
前記課題を解決するために、本発明の請求項１に記載の移動間仕切装置は、
天井に架設されたレールに吊支され、かつ前記レールによって形成された移動経路に沿って移動する複数枚の間仕切パネルにより室内空間を仕切るようにした移動間仕切装置において、
前記間仕切パネルは、左右の縦フレームと上下の横フレームとにより形成される矩形状の枠部を有し、電力が入力されることにより透過率が変化する調光パネルを前記枠部内に設けることを特徴としている。
この特徴によれば、複数枚の間仕切パネルを用いて室内空間を仕切った状態で、調光パネルに対する電力の供給及び非供給を切り換えることにより、調光パネルの透過率を即座に変化させて、仕切られた室内空間同士の隠蔽状態と暴露状態とを即座に切り換えることができる。
【０００７】
本発明の請求項２に記載の移動間仕切装置は、請求項１に記載の移動間仕切装置であって、
前記各々の間仕切パネルの一方の側端面には、電力が入力されるソケット部が設けられるとともに、前記各々の間仕切パネルの他方の側端面には、前記ソケット部から入力された電力が出力されるプラグ部が設けられ、隣り合う間仕切パネルの対向する側端面同士を突き合わせたときに、前記各プラグ部と前記各ソケット部とが接続されるようになっており、前記調光パネルは、少なくとも１つの間仕切パネルのソケット部に外部から入力される電力により可動されることを特徴としている。
この特徴によれば、少なくとも１つの間仕切パネルのソケット部に外部から電力を入力すれば、全ての間仕切パネルの調光パネルに電力を入力でき、配線を簡素化することができる。
【０００８】
本発明の請求項３に記載の移動間仕切装置は、請求項２に記載の移動間仕切装置であって、
前記間仕切パネルの側端面が当接する室内の戸当部には、電力を出力する電源プラグ部が設けられ、少なくとも１つの間仕切パネルのソケット部が前記電源プラグ部に接続されるようになっていることを特徴としている。
この特徴によれば、複数枚の間仕切パネルをレールに沿って順次移動させて、室内空間を仕切る際に、間仕切パネルの側端面が当接する室内の戸当部に設けられた電源プラグ部に、間仕切パネルのソケット部が接続されるようになり、移動間仕切装置の使用者は電力入力用の配線作業等を別途行う必要がなく、複数枚の間仕切パネルによって室内空間を仕切ると同時に調光パネルを使用できるようになる。
【０００９】
本発明の請求項４に記載の移動間仕切装置は、請求項２または３に記載の移動間仕切装置であって、
前記ソケット部と前記プラグ部との少なくともいずれか一方は、揺動可能な状態で前記間仕切パネルの側端面に枢着されることを特徴としている。
この特徴によれば、隣り合う間仕切パネルの対向する側端面同士を突き合わせる際に、レールに吊支された間仕切パネルが前後や左右に多少揺動されても、ソケット部とプラグ部とが接続されるようになる。
【００１０】
本発明の請求項５に記載の移動間仕切装置は、請求項２ないし４のいずれかに記載の移動間仕切装置であって、
前記ソケット部と前記プラグ部との少なくともいずれか一方は、進退可能な状態で付勢手段により前記間仕切パネルの側端面から突出する方向に付勢されることを特徴としている。
この特徴によれば、隣り合う間仕切パネルの対向する側端面同士を突き合わせる際に、側端面同士の間に多少間隙があっても、ソケット部とプラグ部とが接続され、かつ側端面同士を突き合わせる際の衝撃が付勢手段により吸収され、ソケット部とプラグ部とが破損しないようになる。
【００１１】
本発明の請求項６に記載の移動間仕切装置は、請求項２ないし５のいずれかに記載の移動間仕切装置であって、
前記ソケット部と前記プラグ部とを、磁力により互いに接続させる着磁手段を設けることを特徴としている。
この特徴によれば、着磁手段により接続されたソケット部とプラグ部とを外れ難くすることができる。
【発明を実施するための最良の形態】
【００１２】
本発明に係る移動間仕切装置を実施するための最良の形態を実施例に基づいて以下に説明する。
【実施例１】
【００１３】
本発明の実施例を図面に基づいて説明すると、先ず図１は、実施例１における移動間仕切装置を示す斜視図であり、図２は、移動間仕切装置の一部を示す分解斜視図であり、図３は、プラグユニット及びソケットユニットを示す縦断正面図であり、図４は、図１におけるＡ−Ａ横断平面図であり、図５（ａ）は、前後に分解された状態の横フレームを示す縦断側面図であり、図５（ｂ）は、図１におけるＢ−Ｂ縦断側面図であり、図６は、調光パネルの構成を示す斜視図であり、図７（ａ）は、電源がＯＦＦ状態の調光パネルの構成を示す概念図であり、図７（ｂ）は、電源がＯＮ状態の調光パネルの構成を示す概念図である。
【００１４】
図１の符号１は、本発明の適用された移動間仕切装置である。この移動間仕切装置１は、宴会場や多目的ホール等の室内空間を複数枚の移動式の間仕切パネル２を用いて仕切ることができる。間仕切パネル２は、室内の天井３に架設されたレール４により吊支されており、レール４によって形成されて移動経路に沿って、順次間仕切位置に移動させられることにより、室内空間が仕切られる。
【００１５】
尚、間仕切パネル２の移動は作業者が手作業にて行うようになっている。更に尚、室内の壁面５には、間仕切パネル２で室内を仕切る際に、先頭側の間仕切パネル２の側端面が当接する戸当部６が設けられている。この戸当部６は室内の壁面５に固定されている。
【００１６】
図１に示すように、それぞれの間仕切パネル２は、左右の縦フレーム７と、左右の縦フレーム７同士を連結する横フレーム８と、により形成される矩形状の枠部を有しており、この枠部内には、透明な透明パネル９と、電力が入力されることにより透過率が変化する本実施例における電気機器としての調光パネル１０と、が嵌め込まれている。透明パネル９は、それぞれの間仕切パネル２の上部と下部の枠部に嵌め込まれているとともに、調光パネル１０は中央に配置された上下２つの枠部内に嵌め込まれている。
【００１７】
尚、最上部の横フレーム８内部には、間仕切パネル２を、ローラ（図示略）を介してレール４に対して吊支する吊支部材（図示略）が設けられるとともに、最下部の横フレーム８内部には、床面１１を走行するキャスタ（図示略）が設けられており、作業者が間仕切パネル２を移動し易いようになっている。
【００１８】
調光パネル１０は、電力が供給されると透過率の高い透明状態となり、電力の供給が停止されると透過率の低い不透明状態（白濁状態）となる。この透明状態と不透明状態とを電力供給または非供給により適宜切り換えが可能となっている。
【００１９】
具体的には、図６に示すように、調光パネル１０は、前後２枚の高い透過性を有する無色透明なポリカーボネート１２，１３間に、液晶体１４（液晶層）と、この液晶体１４に電界を加える無色透明な透明電極板１５，１６と、を有している。そして、調光パネル１０は、液晶体１４を前後方向から２枚の透明電極板１５，１６で挟み込んで、さらにその前後方向からポリカーボネート１２，１３で挟み込んだ構成となっている。尚、これらのポリカーボネート１２，１３は、板ガラスでもよい。
【００２０】
図７（ａ）に示すように、液晶体１４内には、微小な棒状の液晶分子１７が無数に内在している。これら液晶分子１７は、透明電極板１５，１６に電力が供給されてない状態では、液晶分子１７の配列が不規則に並んでいるため、調光パネル１０に入射された光が液晶分子１７により散乱されて透過率が低くなり、調光パネル１０が不透明状態となる。
【００２１】
図７（ｂ）に示すように、液晶分子１７は、透明電極板１５，１６に電力が供給された状態、つまり液晶分子１７に電圧が印加された状態では、液晶分子１７の配列が規則正しく並ぶため、調光パネル１０に入射された光が液晶分子１７により散乱されることなく透過されて透過率が高くなり、調光パネル１０が透明状態となる。尚、本実施例では、透明電極板１５，１６に対して約３０Ｖの電圧が加えられるようになっている。この電圧は、間仕切パネル２が移動式であるため、固定式の間仕切パネルと比較して低い電圧に設定されている。
【００２２】
図６に示すように、各透明電極板１５，１６には、その下端縁に４つの導線１８が接続されており、この導線１８から電力が供給される。前後の透明電極板１５，１６の２本の導線１８，１８同士は、１つに纏められて後述する電力線１９を構成している。つまり１つの調光パネル１０に対して４つの電力線１９が設けられている（図２参照）。
【００２３】
図１に示すように、本実施例の間仕切パネル２では、中央に配置された上下２つの枠部内の調光パネル１０が、使用者が椅子に座ったときの目線の高さに設定されており、例えば、間仕切パネル２で仕切られた室内空間で会議等を行うときに、調光パネル１０を不透明状態にすれば、周囲の視線が遮られるようになっている。尚、間仕切パネル２の上部の枠部に透明パネル９が嵌め込まれているため、間仕切パネル２で隔てた照明装置の光が、間仕切パネル２を介して入射できるようになっている。
【００２４】
移動間仕切装置１について詳述する。図２に示すように、移動間仕切装置１は、複数枚の間仕切パネル２と戸当部６とを有している。尚、図２は移動間仕切装置１の概念図であり、間仕切パネル２が有する透明パネル９や天井３のレール４の構成を省略している。また、図２中の左方側を間仕切パネル２の先頭側とし、図２中の右方側を間仕切パネル２の後尾側として説明する。
【００２５】
縦フレーム７は上下方向に延びるとともに、横フレーム８は左右方向に延びている。縦フレーム７及び横フレーム８における調光パネル１０が嵌め込まれる部位には、それぞれのフレーム７，８の長手方向に延びる嵌込溝部２０，２１が形成されている。
【００２６】
縦フレーム７及び横フレーム８は、その内部に空洞を有し、調光パネル１０に電力を供給する電力ケーブル２２がそれぞれのフレーム７，８内部に配置されている。本実施例では、各間仕切パネル２において、上方側の調光パネル１０には、上方側に配置された電力ケーブル２２から電力が供給されるとともに、下方の調光パネル１０には、下方側に配置された電力ケーブル２２から電力が供給されるようになっている。
【００２７】
尚、横フレーム８内部の空洞が、本実施例において間仕切パネル２の左右に連通する連通路を構成している。縦フレーム７における横フレーム８との連結部位には、連通孔２４が形成されるとともに、縦フレーム７の側端面には、フレーム７，８内部を開口させるための開口部２５が形成されている。この開口部２５は、それぞれ左右側方に向かって開口されている。
【００２８】
各間仕切パネル２において、電力ケーブル２２は、先頭側の縦フレーム７の開口部２５から横フレーム８内部を介して後尾側の縦フレーム７の開口部２５まで配置されており、この電力ケーブル２２の両端部が各開口部２５の近傍に配置されている。また、電力ケーブル２２は、その両端部に設けられたコネクタ２６を介して、後述するプラグユニット３１及びソケットユニット３２に接続される。
【００２９】
図５（ａ）に示すように、横フレーム８は、内部に電力ケーブル２２が配置されて縦断側面視で略コ字形状をなす後部フレーム部材３３と、後部フレーム部材３３から前方に延設された係合板部３３ａに係合される前部フレーム部材３４と、から構成されており、この横フレーム８は、前後方向に分割できる構造となっている。尚、後部フレーム部材３３が縦フレーム７に対して固定されており、前部フレーム部材３４が固定された後部フレーム部材３３から取り外すことができる。
【００３０】
後部フレーム部材３３の上下の係合板部３３ａには、上下方向に貫通する貫通孔３３ｂが形成されている。この貫通孔３３ｂは、横フレーム８に保持される調光パネル１０から延設される４つの電力線１９に対応する位置に形成されている（図２参照）。間仕切パネル２の組立後において、上方の係合板部３３ａにおける１つの貫通孔３３ｂには、１つの電力線１９が挿設される。
【００３１】
図２に示すように、電力ケーブル２２には、調光パネル１０の電力線１９に対応する位置に分岐線３５が設けられている。調光パネル１０の電力線１９と電力ケーブル２２の分岐線３５とは、互いの端部に設けられたコネクタ２７，２８を介して着脱自在に接続される。図５（ａ）に示すように、横フレーム８を前後方向に分割した状態では、横フレーム８の内部が暴露されて、調光パネル１０の電力線１９と電力ケーブル２２の分岐線３５との接続作業を行い易くなっている。
【００３２】
図５（ｂ）に示すように、調光パネル１０と電力ケーブル２２とが接続された状態で、後部フレーム部材３３に前部フレーム部材３４を係合されるとともに、後部フレーム部材３３と前部フレーム部材３４の上端部同士、及び下端部同士で形成される嵌込溝部２１に、調光パネル１０の上下端部を配置して、さらに調光パネル１０の端部と、横フレーム８の嵌込溝部２１と、の間の隙間をゴムパッキン３６で閉塞し、調光パネル１０が横フレーム８の嵌込溝部２１に強固に保持される。
【００３３】
尚、調光パネル１０の端部と、縦フレーム７の嵌込溝部２０と、の間の隙間もゴムパッキン（図示略）で閉塞することで、調光パネル１０が強固に保持される。更に、特に図示はしないが、透明パネル９に関しても、調光パネル１０と同様に、ゴムパッキン（図示略）を介して縦フレーム７及び横フレーム８の嵌込溝部２０，２１に保持される。
【００３４】
図２に示すように、電力ケーブル２２の両端部には、プラグユニット３１及びソケットユニット３２が接続される。プラグユニット３１及びソケットユニット３２は、互いに着脱自在に接続できるようになっている（図３及び図４参照）。尚、各間仕切パネル２において、先頭側の縦フレーム７には、ソケットユニット３２が設けられるとともに、後尾側の縦フレーム７には、プラグユニット３１が設けられる。
【００３５】
プラグユニット３１は、縦フレーム７の側端面の開口部２５と略補形をなして、この開口部２５を塞ぐ塞ぎ部材３７と、塞ぎ部材３７の中央に配置されるプラグ部３９と、により構成されている。また、ソケットユニット３２は、縦フレーム７の側端面の開口部２５と略補形をなして、この開口部２５を塞ぐ塞ぎ部材３８と、塞ぎ部材３８の中央に配置されるソケット部４０と、により構成されている。
【００３６】
図３に示すように、プラグ部３９は、略矩形状をなすプラグ本体４１と、このプラグ本体４１を支持する取付部材４２と、を有している。取付部材４２は、プラグ本体４１を収容する収容部４２ａと、この収容部４２ａから上下に延設された取付板４２ｂと、により構成され、取付板４２ｂが塞ぎ部材３７に螺着されることで、プラグ本体４１と塞ぎ部材３７とが連結される。さらにプラグ本体４１及び塞ぎ部材３７が、縦フレーム７に固定された取付板４２ｂに螺着されることで、プラグユニット３１が縦フレーム７に取り付けられる。
【００３７】
プラグ本体４１の前後面には、凸軸４３が設けられており、この凸軸４３が取付部材４２の収容部４２ａの前後面に形成された左右方向に長い長孔４４に挿設される。プラグ本体４１は、凸軸４３を中心として上下方向に揺動可能になっている。また、収容部４２ａ内には、プラグ本体４１を突出方向に付勢する本実施例における付勢手段としてのバネ部材４５が設けられている。このバネ部材４５によりプラグ本体４１が突出方向（左右方向）に進退可能になっている。
【００３８】
ソケット部４０は、プラグ本体４１が嵌着されるソケット本体４６と。このソケット本体４６を支持する取付部材４７と、を有している。取付部材４７は、ソケット本体４６を収容する収容部４７ａと、この収容部４７ａから上下に延設された取付板４７ｂと、により構成され、取付板４７ｂが塞ぎ部材３８に螺着されることで、ソケット本体４６と塞ぎ部材３８とが連結される。さらにソケット本体４６及び塞ぎ部材３８が、縦フレーム７に固定された取付板４７ｂに螺着されることで、ソケットユニット３２が縦フレーム７に取り付けられる。
【００３９】
ソケット本体４６には、上下２本の電気棒４８が設けられており、この電気棒４８がプラグ本体４１の挿入穴４９に挿入されることで、プラグ本体４１とソケット本体４６とが電気的に接続される。電源から供給される電力は、プラグユニット３１側から出力されてソケットユニット３２に入力されるようになっている。
【００４０】
尚、プラグ本体４１には、本実施例における着磁手段としての磁石部５０が設けられているとともに、ソケット本体４６は、金属部５１が設けられている。プラグ本体４１の磁石部５０がソケット本体４６の金属部５１に磁力により吸着されることで、間仕切パネル２に対して多少の外力が加わっても、プラグ本体４１がソケット本体４６に嵌合された状態を維持されるようになっている。
【００４１】
隣り合う間仕切パネル２の対向する側端面同士を突き合わせたときに、各プラグ部３９と各ソケット部４０とが接続されるようになっている（図３参照）。また、プラグ部３９とソケット部４０とが互いに接続される際に、プラグ本体４１が揺動可能及び進退可能となっていることで、レール４に吊支された間仕切パネル２が前後や左右に多少揺動されたり、間仕切パネル２の側端面同士の間に多少間隙があっても、プラグ部３９とソケット部４０とが接続され、かつ間仕切パネル２の側端面同士を突き合わせる際の衝撃がバネ部材４５により吸収され、プラグ部３９とソケット部４０とが破損しないようになっている。
【００４２】
図２及び図３に示すように、縦フレーム７の側端面に形成された溝部５２内には、間仕切パネル２同士が当接した際に緩衝材となるゴム条５３が設けられている。プラグ本体４１及びソケット本体４６の近傍には、ゴム条５３が、プラグ本体４１及びソケット本体４６の嵌着を妨げないようにするため、及びプラグ本体４１の揺動を妨げないようにするためのゴムストッパー５４が設けられている。このゴムストッパー５４は、略Ｌ字形状をなす板部材で構成されており、屈曲された端部がプラグ本体４１及びソケット本体４６に近接された状態で、それぞれの塞ぎ部材３７，３８に螺着されている。
【００４３】
先頭の間仕切パネル２が当接される戸当部６には、戸当部６内部を開口させるための開口部２６が形成されている。また、戸当部６の内部には、電力ケーブル２３が配置されており、電力ケーブル２３の端部が開口部２６の近傍に配置されている。また、電力ケーブル２３は、その端部に設けられたコネクタ２８を介して、電源プラグユニット５５に接続される。
【００４４】
電源プラグユニット５５は、戸当部６の開口部２６と略補形をなして、この開口部２６を塞ぐ塞ぎ部材５６と、塞ぎ部材５６の中央に配置される電源プラグ部５７と、により構成されている。尚、電源プラグ部５７は、プラグユニット３１のプラグ部３９と同一の構成をなしているため、詳細な説明を省略する。電源プラグユニット５５は、先頭の間仕切パネル２の先頭側の側端面に設けられたソケットユニット３２に対して着脱自在に接続できるようになっている。
【００４５】
戸当部６内部の電力ケーブル２３は、制御ユニット５８に接続されている。この制御ユニット５８には、電源ケーブル５９が接続されており、この電源ケーブル５９から間仕切パネル２に対して電力が供給されるようになっている。尚、制御ユニット５８には、壁面５に設けられた操作部６０に接続されており、間仕切パネル２の使用者は操作部６０を操作することで、間仕切パネル２の調光パネル１０の透過率を変化させるように操作できるようになっている。
【００４６】
図２に示すように、それぞれの間仕切パネル２の上方側に配置された調光パネル１０は、戸当部６に設けられた上方側の電源プラグユニット５５から電力を供給されるとともに、間仕切パネル２の下方側に配置された調光パネル１０は、戸当部６に設けられた下方側の電源プラグユニット５５から電力を供給されるようになっている。
【００４７】
つまり使用者が操作部６０を操作する際に、上方側の調光パネル１０と下方側の調光パネル１０の上下両方の透過率を変化されることができるとともに、上方側の調光パネル１０のみ、或いは、下方側の調光パネル１０のみの透過率を変化させることができる。
【００４８】
また、左右の隣り合う間仕切パネル２において、それぞれ上方側の調光パネル１０は、電力ケーブル２２，２３に対して並列回路をなすように接続されているとともに、それぞれ下方側の調光パネル１０も、電力ケーブル２２，２３に対して並列回路をなすように接続されている。
【００４９】
以上説明したように、本発明の移動間仕切装置１にあっては、間仕切パネル２は、左右の縦フレーム７と上下の横フレーム８とにより形成される矩形状の枠部を有し、電力が入力されることにより透過率が変化する調光パネル１０を枠部内に設けることで、複数枚の間仕切パネル２を用いて室内空間を仕切った状態で、調光パネル１０に対する電力の供給及び非供給を切り換えることにより、調光パネル１０の透過率を即座に変化させて、仕切られた室内空間同士の隠蔽状態と暴露状態とを即座に切り換えることができる。
【００５０】
また、各々の間仕切パネル２の一方の側端面には、電力が入力されるソケット部４０が設けられるとともに、各々の間仕切パネル２の他方の側端面には、ソケット部４０から入力された電力が出力されるプラグ部３９が設けられ、隣り合う間仕切パネル２の対向する側端面同士を突き合わせたときに、各プラグ部３９と各ソケット部４０とが接続されるようになっており、調光パネル１０は、少なくとも１つの間仕切パネル２のソケット部４０に外部から入力される電力により可動されることで、少なくとも１つの間仕切パネル２のソケット部４０に外部から電力を入力すれば、全ての間仕切パネル２の調光パネル１０に電力を入力でき、配線を簡素化することができる。
【００５１】
また、間仕切パネル２の側端面が当接する室内の戸当部６には、電力を出力する電源プラグ部５７が設けられ、少なくとも１つの間仕切パネル２のソケット部４０が電源プラグ部５７に接続されるようになっていることで、複数枚の間仕切パネル２をレール４に沿って順次移動させて、室内空間を仕切る際に、間仕切パネル２の側端面が当接する室内の戸当部６に設けられた電源プラグ部５７に、間仕切パネル２のソケット部４０が接続されるようになり、移動間仕切装置１の使用者は電力入力用の配線作業等を別途行う必要がなく、複数枚の間仕切パネル２によって室内空間を仕切ると同時に調光パネル１０を使用できるようになる。
【００５２】
また、ソケット部４０とプラグ部３９との少なくともいずれか一方は、揺動可能な状態で間仕切パネル２の側端面に枢着されることで、隣り合う間仕切パネル２の対向する側端面同士を突き合わせる際に、レール４に吊支された間仕切パネル２が前後や左右に多少揺動されても、ソケット部４０とプラグ部３９とが接続されるようになる。
【００５３】
また、ソケット部４０とプラグ部３９との少なくともいずれか一方は、進退可能な状態でバネ部材４５により間仕切パネル２の側端面から突出する方向に付勢されることで、隣り合う間仕切パネル２の対向する側端面同士を突き合わせる際に、側端面同士の間に多少間隙があっても、ソケット部４０とプラグ部３９とが接続され、かつ側端面同士を突き合わせる際の衝撃がバネ部材４５により吸収され、ソケット部４０とプラグ部３９とが破損しないようになる。
【００５４】
また、ソケット部４０とプラグ部３９とを、磁力により互いに接続させる磁石部５０を設けることで、磁石部５０により接続されたソケット部４０とプラグ部３９とを外れ難くすることができる。
【実施例２】
【００５５】
次に、実施例２に係るプラグユニット及びソケットユニットにつき、図８を参照して説明する。尚、前記実施例に示される構成部分と同一構成部分に付いては同一符号を付して重複する説明を省略する。図８は、実施例２におけるプラグユニット及びソケットユニットを示す縦断正面図である。
【００５６】
図８に示すように、実施例２のソケットユニット６１のソケット本体６２は、プラグ本体４１と同様に揺動可能及び進退可能になっている。具体的には、ソケット部６４は、ソケット本体６２と、このソケット本体６２を支持する取付部材６３と、を有している。取付部材６３は、ソケット本体６２を収容する収容部６３ａと、この収容部６３ａから上下に延設された取付板６３ｂと、により構成されている。
【００５７】
ソケット本体６２の前後面には、凸軸６５が設けられており、この凸軸６５が取付部材６３の収容部６３ａの前後面に形成された左右方向に長い長孔６７に挿設される。ソケット本体６２は、凸軸６５を中心として上下方向に揺動可能になっている。また、収容部６３ａ内には、ソケット本体６２を突出方向に付勢する本実施例における付勢手段としてのバネ部材６６が設けられている。このバネ部材６６によりソケット本体６２が突出方向（左右方向）に進退可能になっている。
【００５８】
ソケット本体６２が揺動可能及び進退可能となっていることで、レール４に吊支された間仕切パネル２が前後や左右に多少揺動されたり、間仕切パネル２の側端面同士の間に多少間隙があっても、プラグ部３９とソケット部６４とが接続され、かつ間仕切パネル２の側端面同士を突き合わせる際の衝撃がバネ部材４５，６６により吸収され、プラグ部３９とソケット部６４とが破損しないようになっている。尚、実施例２において、プラグ部３９を揺動不能及び進退不能に構成して、ソケット部６４のみを揺動可能及び進退可能に構成してもよい。
【００５９】
以上、本発明の実施例を図面により説明してきたが、具体的な構成はこれら実施例に限られるものではなく、本発明の要旨を逸脱しない範囲における変更や追加があっても本発明に含まれる。
【００６０】
例えば、前記実施例１では、プラグ部３９が電源側、つまりプラグ部３９から出力された電力がソケット部４０に入力される構成となっているが、ソケット部４０が電源側、つまりソケット部４０から出力された電力がプラグ部３９に入力される構成としてもよい。
【００６１】
また、前記実施例１では、調光パネル１０の下端縁に４つの電力線１９が設けられる構成となっているが、調光パネル１０の上端縁に電力線１９を設ける構成としてもよい。
【００６２】
また、前記実施例１では、移動間仕切装置１に対して外部の電源から電力が供給される構成となっているが、少なくとも１つの間仕切パネル２が電力を蓄電するバッテリと、このバッテリから出力される電流を交流に変換する回路を備えており、このバッテリから各間仕切パネル２に対して電力が供給される構成としてもよい。
【００６３】
また、前記実施例１及び２では、プラグ部３９及びソケット部４０，６４が上下方向に揺動できる構成となっているが、プラグ部３９及びソケット部４０，６４を前後方向に揺動できるようにしてもよい。
【００６４】
また、前記実施例１では、操作部６０が壁面５に設けられた壁面スイッチとなっているが、この操作部６０をリモコンスイッチにしてもよい。
【図面の簡単な説明】
【００６５】
【図１】実施例１における移動間仕切装置を示す斜視図である。
【図２】移動間仕切装置の一部を示す分解斜視図である。
【図３】プラグユニット及びソケットユニットを示す縦断正面図である。
【図４】図１におけるＡ−Ａ横断平面図である。
【図５】（ａ）は、前後に分解された状態の横フレームを示す縦断側面図であり、（ｂ）は、図１におけるＢ−Ｂ縦断側面図である。
【図６】調光パネルの構成（概念）を示す斜視図である。
【図７】（ａ）は、電源がＯＦＦ状態の調光パネルの構成を示す概念図であり、（ｂ）は、電源がＯＮ状態の調光パネルの構成を示す概念図である。
【図８】実施例２におけるプラグユニット及びソケットユニットを示す縦断正面図である。
【符号の説明】
【００６６】
１                移動間仕切装置
２                間仕切パネル
３                天井
４                レール
６                戸当部
７                縦フレーム
８                横フレーム
１０              調光パネル（電気機器）
１４              液晶体（液晶層）
１５，１６        透明電極板
１８              導線
１９              電力線
２２，２３        電力ケーブル
２４              連通孔
２５              開口部
２６，２７        コネクタ
２８，２９        コネクタ
３０              コネクタ
３１              プラグユニット
３２              ソケットユニット
３７，３８        塞ぎ部材
３９              プラグ部
４０              ソケット部
４５              バネ部材（付勢手段）
５０              磁石部（着磁手段）
５５              電源プラグユニット
５６              塞ぎ部材
５７              電源プラグ部
６１              ソケットユニット
６４              ソケット部
６６              バネ部材（付勢手段）
【図１】
2010150770.tif 000003
【図２】
2010150770.tif 000004
【図３】
2010150770.tif 000005
【図４】
2010150770.tif 000006
【図５】
2010150770.tif 000007
【図６】
2010150770.tif 000008
【図７】
2010150770.tif 000009
【図８】
2010150770.tif 000010